(57)【要約】【目的】シート材からセパレータを剥離したシート状フィルムの貼付面への異物の付着を極力少なくして、不良品が発生しないようにしたシート状フィルムの貼付方法を提供する。【解決手段】シート状フィルム２に粘着層４を介してセパレータ３を剥離可能に貼着してなる先行側シート材１と後行側シート材１とを、セパレータ３，３の端部どうし接合テープ５によって接合し、先行側シート材１より漸次セパレータ３をシート状フィルム２から剥離させながら、セパレータ３の剥離に伴って露出するシート状フィルム２を被貼付材７に貼付すると共に、剥離したセパレータ３を巻き取るようにする。【選択図】        図１
2004250153.tif 000002
【特許請求の範囲】
【請求項１】
シート状フィルムに粘着層を介してセパレータを剥離可能に貼着してなる先行側シート材と後行側シート材とを、セパレータの端部どうし接合テープによって接合し、先行側シート材よりの先端部よりセパレータをシート状フィルムから剥離させながら、セパレータの剥離に伴って露出するシート状フィルムを被貼付材に貼付すると共に、剥離したセパレータを巻き取るようにしたシート状フィルムの貼付方法。
【請求項２】
シート状フィルムに粘着層を介してセパレータを剥離可能に貼着してなる先行側シート材と後行側シート材とをセパレータのどうし接合テープで接合させるシート材接合手段と、先行側シート材の先端部よりセパレータをシート状フィルムから剥離させるナイフ状の剥離エッジと、この剥離エッジによって剥離されたセパレータを巻き取る巻取手段と、セパレータの剥離に伴って露出するシート状フィルムを被貼付材に押し付けて貼付するフィルム押し付け手段と、からなるシート状フィルムの貼付装置。
【請求項３】
定位置にあってシート材を受けるシート材供給台と、被貼付材をフィルム貼付開始位置から前方へ移送する被貼付材移送手段とを有し、前記剥離エッジ及びフィルム押し付け手段は、フィルム貼付開始位置にある被貼付材の先端部近傍に設けられ、被貼付材がフィルム貼付開始位置からその長さ分移動することによって、シート材供給台からのシート状フィルムがこの被貼付材に貼付されるようになっている請求項２に記載のシート状フィルムの貼付装置。
【請求項４】
夫々被貼付材を保持した状態の被貼付材供給姿勢とフィルム貼付姿勢とに反転可能な被貼付材保持台と、この保持台を反転駆動する手段と、前記剥離エッジを先端部に備えたシート材供給台と、前記フィルム押し付け手段を先端部に装備すると共に、シート材供給台を傾動可能に搭載して、このシート材供給台を、シート材供給位置と、フィルム貼付姿勢にある被貼付材保持台の被貼付材に対してシート状フィルムを貼付するフィルム貼付位置との間を往復移動させる移動枠と、この移動枠を駆動する移動枠駆動手段とを有し、移動枠がフィルム貼付位置にある時、シート材供給台は先端部が被貼付材保持台の被貼付材に近接した傾斜姿勢にあって、この傾斜姿勢で移動枠をシート材供給位置まで移動させる間に、シート材供給台上のシート状フィルムが被貼付材に貼付されるようになっている請求項２に記載のシート状フィルムの貼付装置。
【発明の詳細な説明】
【０００１】
【発明の属する技術分野】
本発明は、シート状フィルム、つまり所定寸法に裁断された長方形のフィルムに粘着層を介して同じくシート状のセパレータを剥離可能に貼着してなるシート材から、そのシート状セパレータを剥離して、残ったシート状フィルムを液晶板等の被貼付材に貼付するシート状フィルムの貼付方法及び貼付装置に関するものである。
【０００２】
【従来の技術】
上記のようなシート材からセパレータを剥離して、シート状フィルムを被貼付材に貼付する従来の方法として、公知文献を具体的に挙げることはできないが、従来では、セパレータをシート材から全て剥離してから、シート状フィルムを被貼付材に貼付するようにしていた。
【０００３】
【発明が解決しようとする課題】
上記のようにセパレータをシート材のシート状フィルムから全て剥離した後、そのシート状フィルムを被貼付材に貼付すれば、シート状フィルムを被貼付材に貼付する前に、シート状フィルムの貼付面である糊面（粘着面）の全体が一時的に露出することになるため、シート状フィルムの貼付面にゴミ等の異物が付着し易く、しかしてそのような異物がシート状フィルムと被貼付材との間に介在することにより、不良品の発生を来すと云う問題があった。
【０００４】
本発明は、上記の課題に鑑み、シート材からセパレータを剥離したシート状フィルムの貼付面への異物の付着を少なくして、極力不良品が発生しないようにしたシート状フィルムの貼付方法及び貼付装置を提供することを目的とする。
【０００５】
【課題を解決するための手段】
請求項１に係る発明のシート状フィルムの貼付方法は、シート状フィルム２に粘着層４を介してセパレータ３を剥離可能に貼着してなる先行側シート材１と後行側シート材１とを、セパレータ３の端部どうし接合テープ５によって接合し、先行側シート材１の先端部よりセパレータ３をシート状フィルム２から剥離させながら、セパレータ３の剥離に伴って露出するシート状フィルム２を被貼付材７に貼付すると共に、剥離したセパレータ３を巻き取るようにしたことを特徴とする。
【０００６】
請求項２に係る発明のシート状フィルムの貼付装置は、シート状フィルム２に粘着層４を介してセパレータ３を剥離可能に貼着してなる先行側シート材１と後行側シート材１とをセパレータ３のどうし接合テープ５で接合させるシート材接合手段と、先行側シート材１の先端部よりセパレータ３をシート状フィルム２から剥離させるナイフ状の剥離エッジ１２と、この剥離エッジ１２によって剥離されたセパレータ３を巻き取る巻取手段６と、セパレータ３の剥離に伴って露出するシート状フィルム２を被貼付材に押し付けて貼付するフィルム押し付け手段８と、からなることを特徴とする。
【０００７】
請求項３は、請求項２に記載のシート状フィルムの貼付装置において、定位置にあってシート材１を受けるシート材供給台９と、被貼付材７をフィルム貼付開始位置Ｐ１から前方へ移送する被貼付材移送手段１１とを有し、前記剥離エッジ１２及びフィルム押し付け手段８は、フィルム貼付開始位置Ｐ１にある被貼付材７の先端部近傍に設けられ、被貼付材７がフィルム貼付開始位置Ｐ１からその長さ分移動することによって、シート材供給台９からのシート状フィルム２がこの被貼付材７に貼付されるようになっていることを特徴とする。
【０００８】
請求項４は、請求項２に記載のシート状フィルムの貼付装置において、夫々被貼付材７を保持した状態の被貼付材供給姿勢とフィルム貼付姿勢とに反転可能な被貼付材保持台１８と、この保持台１８を反転駆動する手段１９と、前記剥離エッジ１２を先端部に備えたシート材供給台２０と、前記フィルム押し付け手段８を先端部に装備すると共に、シート材供給台２０を傾動可能に搭載して、このシート材供給台２０を、シート材供給位置と、フィルム貼付姿勢にある被貼付材保持台１８の被貼付材７に対してシート状フィルム２を貼付するフィルム貼付位置との間を往復移動させる移動枠２１と、この移動枠２１を駆動する移動枠駆動手段とを有し、移動枠２１がフィルム貼付位置にある時、シート材供給台２０は先端部が被貼付材保持台１８の被貼付材７に近接した傾斜姿勢にあって、この傾斜姿勢で移動枠２１をシート材供給位置まで移動させる間に、シート材供給台９上のシート状フィルム２が被貼付材に貼付されるようになっていることを特徴とする。
【０００９】
【発明の実施の形態】
図１は本発明に係るシート状フィルム貼付装置の一実施形態を示す縦断側面図、図２の（ａ）  は接合テープ５によって接合されたシート材１，１を示す斜視図、（ｂ）  はシート材１，１の接合部の断面形状を示す一部拡大縦断面図である。このフィルム貼付装置は、それぞれシート状フィルム２に粘着層４を介してセパレータ３を剥離可能に貼着してなる先行側のシート材１と後行側のシート材１とを、セパレータ３の端部どうし接合テープ５により接合させるシート材接合手段と、先行側シート材１の先端部よりセパレータ３をシート状フィルム２から剥離させるナイフ状の剥離エッジ１２と、この剥離エッジ１２によって剥離されたセパレータ３を巻き取る巻取手段６と、セパレータ３の剥離に伴って露出したシート状フィルム２を被貼付材７に押し付けて貼付するフィルム押し付け手段８と、からなる。
【００１０】
各シート材１は、図２の（ｂ）  に示すように、シート状フィルム２と、このフィルム２の片面に形成された粘着層４を介して剥離可能に貼着されたシート状セパレータ３とからなり、先行側のシート材１と後行側のシート材１とは接合テープ５によって接合される。先行側シート材１のセパレータ３の後端部と後行側のシート材１のセパレータ３の前端部とを接合テープ５で接合するシート材接合手段としては、手作業による人為的接合手段でもよいし、図示は省略するが、両シート材１，１のセパレータ３，３の接合端部に所定長さの接合テープ５を機械的に張り付けてゆくように構成された周知構造のテーピング装置などによる機械的接合手段でもよい。接合テープ５は、図２の（ｂ）に示すように、テープ本体５ａと、これの片面に設けられた接着層５ｂとからなる。
【００１１】
図１において、９は所定高さ位置に設置されたシート材供給台で、この供給台９の上面９ａにシート材１が供給されるようになっている。このシート材供給台９には、供給されたシート材１を上面９ａに沿って軽く保持するための保持手段１０が設けてある。この保持手段１０は、シート材供給台９の上面９ａ全域に亘って多数の吸引孔１０ａを穿設し、これら吸引孔１０ａよりエアーを吸引してシート材１を保持するようにした吸着保持手段である。このような吸着保持手段に代え、押えローラーによりシート材１をシート材供給台９の上面９ａに軽く押えるようにした保持手段でもよい。また１１は、被貼付材７をフィルム貼付開始位置Ｐ１から前方へ所定長さずつ移送するための被貼付材移送手段で、この移送手段１１は、例えば図１に示すように、被貼付材７の移送方向に一定ピッチで配設された駆動ローラー１１ａ・・・からなる。
【００１２】
剥離エッジ１２及びフィルム押し付け手段８は、図１に示すように、フィルム貼付開始位置Ｐ１にある被貼付材７の先端部近傍にそれぞれ設置されていて、１枚の被貼付材７がフィルム貼付開始位置Ｐ１からその１枚分の長さ移動することによって、この１枚の被貼付材７の表面に１枚のシート材１のシート状フィルム２が貼付されるようになっている。フィルム押し付け手段８は、この実施形態では、定位置に設けられたシリンダ８ａとこれに連動連結された押えローラー８ｂとからなるものであるが、モーターとこれに連動連結されたボールネジとからなるものでもよい。
【００１３】
巻取手段６は、シート材供給台９で受けられて接合テープ５により互いに接合された先行側シート材１及び後行側シート材１をガイドローラー１３により案内して剥離エッジ１２を通過させることにより、シート材１から剥離したセパレータ３を引張しながら巻取ローラー１４に巻き取るようにしたもので、ガイドローラー１５、駆動ローラー１６、ニップローラー１７及び巻取ローラー１４によって構成される。
【００１４】
次に、上記のように構成されるシート状フィルム貼付装置の使用して、シート状フィルム２を液晶板等の被貼付材７に貼付する方法について、図１を参照して説明する。
【００１５】
先ず、シート材供給台９上にシート材１を１枚ずつ供給すると共に、この供給台９上の先行側シート材１と後行側シート材１とを、シート材接合手段によって両シート材１，１のセパレータ３，３の端部どうしを接合テープ５によって接合する。このシート材接合手段は、前述のように手作業による人為的接合手段でもよいし、テーピング装置等による機械的接合手段でもよい。
【００１６】
フィルム貼付作業開始時の最初のシート材１には、そのセパレータ３の先端部に適当材料からなる長尺状の引張用フィルム材（図示せず）を接合し、この引張用フィルム材をガイドローラー１３から剥離エッジ１２に通してＵターンさせ、ガイドローラー１５、引張用駆動ローラー１６、ニップローラー１７を経て巻取ローラー１４に巻き取った状態とし、しかして最初のシート材１のセパレータ３先端部を剥離し、それによって露出したシート状フィルム２の粘着層４先端部を被貼付材７の表面先端部に当接させて、フィルム押し付け手段８の押えローラー８ｂで押さえ付けておく。
【００１７】
上記のような状態から上記引張用フィルム材を巻取手段６で巻き取りながら、被貼付材移送手段１１によって被貼付材７を図１の実線で示すフィルム貼付開始位置Ｐ１から前方へ移送させてゆくと、一番最初の先行側シート材１は、剥離エッジ１２によってセパレータ３が剥離されながら、このセパレータ３の剥離に伴って露出するシート状フィルム２の貼付面である粘着層４が被貼付材７の表面に貼着されてゆき、この被貼付材７の後端がフィルム押し付け手段８を通過して図１の仮想線図示位置に達することにより、最初のシート材１のシート状フィルム２の被貼付材７に対する貼付が終了する。尚、最初に使用する引張用フィルム材は最初のシート材１のセパレータ３に接合されているから、引張用フィルム材が巻取ローラー１４に巻き取られた後は、この引張用フィルム材に接合されたシート材１のセパレータ３が引続き巻取ローラー１４に巻き取られることになる。
【００１８】
上記シート状フィルム２の貼付作業においては、１枚目のシート材１のシート状フィルム２を被貼付材７に貼り終わって、２枚目のシート材１の先端が例えば剥離エッジ１２に上面側に到達した時点で、位置検知センサーの作用により巻取手段６の巻取り動作が一時停止して、次の被貼付材７がフィルム貼付開始位置Ｐ１に来るのを待ち、しかして当該次の被貼付材７がフィルム貼付開始位置Ｐ１に来ると、巻取手段６が再び巻取り動作を開始して、２枚目のシート材１のセパレータ３が剥離エッジ１２で剥離されながらそのシート状フィルム２が次の被貼付材７に貼付されるようになっている。尚、巻取手段６の巻取り速度を十分に遅くすることによって、上記のように１枚目シート材１を貼り終わった時点で巻取手段６の巻取り動作を停止することなく、その巻取り動作を連続的に行なわせることも可能である。
【００１９】
また、シート材供給台９から先行側のシート材１が無くなれば、シート材供給台９上でそれまで後行側にあったシート材１が先行側シート材１となると共に、このシート材供給台９上に後行側となるシート材１が供給され、しかして先行側となったシート材１の後端部と新たにシート材供給台９上に供給されたシート材１の前端部とを前記シート材接合手段によって両シート材１，１のセパレータ３，３の端部どうしシート材供給台９上にて接合テープ５で接合する。尚、接合テープ５によって接合される先行側シート材１と後行側シート材１との間隔は必要に応じて任意の間隔に設定することができる。
【００２０】
以降は、上述したような動作の繰り返しによって、連続的に移送される各被貼付材７の表面に、シート材供給台９上に供給される各シート材１のシート状フィルム２が貼付され、それによって被貼付材７の表面にシート状フィルム２を貼着した物が連続的に製造されることになる。
【００２１】
図３及び図４は本発明に係るシート状フィルム貼付装置の他の実施形態を示すそれぞれ縦断側面図である。図１に示す貼付装置は、被貼付材７を移動させながら、この移動する被貼付材７にシート状フィルム２を貼着するように構成したものであるが、図３及び図４の貼付装置は、被貼付材７を固定状態にしておいて、シート材供給台２０を、剥離エッジ１２及びフィルム押し付け手段８と共に移動させながら、その被貼付材７にシート状フィルム２を貼着するようにしたものである。図１の貼付装置と同様な構成部材については、同じ符号を付して、その説明を省略する。
【００２２】
図３及び図４において、１８は被貼付材７を保持する被貼付材保持台で、片側の保持面１８ａに被貼付材７を保持した状態で上側に位置する被貼付材供給姿勢（図３参照）と下側に位置するフィルム貼付姿勢（図４参照）とに反転可能となっている。１９は被貼付材保持台１８を被貼付材供給姿勢とフィルム貼付姿勢とに反転駆動する手段である。また、２０は剥離エッジ１２を先端部に備えたシート材供給台であり、２１はフィルム押し付け手段８を先端部に装備すると共に、シート材供給台２０を傾動可能に搭載した移動枠であって、シート材供給台２０を、移動枠駆動手段によって、シート材供給位置と、フィルム貼付姿勢にある被貼付材保持台１８の被貼付材７に対してシート状フィルムを貼付するフィルム貼付位置との間で往復移動させるようになっている。２２は装置基台である。
【００２３】
前記被貼付材保持台１８は、装置基台２２上に立設した両側支柱２３，２３に水平に軸架した回転軸２４によって、図３に示すように上側に位置する被貼付材供給姿勢と、図４に示すように下側に位置するフィルム貼付姿勢とに反転されるもので、この回転軸２４と、これに連動連結されたモーター２５とによって前記反転駆動手段１９が構成される。また、被貼付材保持台１８には、この保持台１８上に供給されたシート材１を保持面１８ａで保持するための保持手段１０が設けてある。この保持手段１０は、図１に示す装置のシート材供給台９に設けられたものと同様な手段である。
【００２４】
前記シート材供給台２０は、その長手方向中間所要部が移動枠２１上の後端部側に揺動可能に枢着されていると共に、その先端部側と移動枠２１との間に介装されたシリンダ２６によって枢着部２７を中心に先端側が持ち上がるように傾動可能となっており、このシート材供給台２０の先端部近傍に剥離エッジ１２が設置されている。またシート材供給台２０には、この供給台２０上に供給されたシート材１を上面２０ａで軽く保持するための保持手段１０が設けられ、この保持手段１０は、前記シート材供給台１８に設けられたものと同様な手段である。
【００２５】
移動枠２１は、装置基台２２の上面に設けてあるガイドレール２８と係合するガイド２９によって、図３に示すようなシート材供給位置と、図４に示すようにフィルム貼付姿勢にある被貼付材保持台１８の被貼付材７にシート状フィルム２を貼付するフィルム貼付位置との間で往復移動するもので、図示は省略するが、移動枠２１と装置基台２２との間に介装されたボールネジ及びこれを回転駆動するサーボモーターとからなる移動枠駆動手段によって駆動される。尚、移動枠駆動手段には、ボールネジ機構に限らず、タイミングベルト、ラックピニオン、リニアモーター（磁力を利用したもの）等を用いたものを使用できる。
【００２６】
上記のような構成よりなるシート状フィルム貼付装置の使用して、シート状フィルム２を被貼付材７に貼付する方法について説明すると、先ず、図３に示すように、シート材供給位置にある移動枠２１上のシート材供給台２０にシート材１を１枚ずつ供給すると共に、この供給台２０上の先行側シート材１と後行側シート材１とをセパレータ３，３の端部どうし、シート材接合手段によって接合テープ５で接合する。この時、シート材供給台２０は水平姿勢にある。尚、接合テープ５によって接合される先行側シート材１と後行側シート材１との間隔は必要に応じて任意に設定されるものとする。
【００２７】
図１に示す貼付装置の場合と同様に、フィルム貼付作業開始時の最初のシート材１には、そのセパレータ３の先端部に長尺状の引張用フィルム材を接合し、この引張用フィルム材を剥離エッジ１２から巻取手段６のガイドローラー１３に掛け回し、更に引張用駆動ローラー１６、ニップローラー１７を経て巻取ローラー１４に巻き取り、図３に示すような状態とする。
【００２８】
それから、移動枠２１を移動枠駆動手段によって図３に示すシート材供給位置から図４に示すように被貼付材保持台１８の下方へもぐり込んだ状態のフィルム貼付位置まで移動させ、また被貼付材保持台１８を反転駆動手段１９によってフィルム貼付姿勢に反転する。移動枠２１をフィルム貼付位置へ移動させる時は、前記引張用フィルム材が巻取ローラー１４から繰り出されるように巻取手段６を操作する。この移動枠２１をフィルム貼付位置まで移動させた後、シリンダ２６を伸張作動させてシート材供給台２０をその先端部側が被貼付材保持台１８の被貼付材７に近接した傾斜姿勢となるように傾動させ、しかして先行側シート材１のセパレータ３先端部を剥離し、それによって露出したシート状フィルム２の粘着層４先端部を被貼付材７の表面先端部に当てて、フィルム押し付け手段８の押えローラー８ｂで押さえ付ける。
【００２９】
上記のような状態から貼付開始当初の引張用フィルム材を巻取手段６で巻き取りながら、シート材供給台２０を傾斜姿勢のままで移動枠２１を図４の矢印方向へ移動させてゆくと、一番最初の先行側シート材１は、剥離エッジ１２によってセパレータ３が剥離されながら、同時にこのセパレータ３の剥離に伴って露出するシート状フィルム２の貼付面である粘着層４が被貼付材７の表面に貼着されてゆき、フィルム押し付け手段８が被貼付材７の後端を通過して、移動枠２１が元のシート材供給位置へ戻ることにより、最初のシート材１のシート状フィルム２の被貼付材７に対する貼付が終了する。
【００３０】
こうして１枚目のシート材１のシート状フィルム２の貼付作業が終了すれば、被貼付材保持台１８を反転駆動手段１９により被貼付材供給姿勢に反転させて、シート状フィルム２を貼付した被貼付材７を被貼付材保持台１８から取り出し、その被貼付材保持台１８に新しい被貼付材７を供給する。そして、再び、巻取手段６を繰り出し操作しながら、移動枠２１をシート材供給位置から被貼付材保持台１８下方のフィルム貼付位置まで移動させると共に、被貼付材保持台１８を反転駆動手段１９によってフィルム貼付姿勢に反転し、またシート材供給台２０をその先端部側が被貼付材保持台１８の被貼付材７に近接した傾斜姿勢となるように傾動させる。
【００３１】
しかして、先行側シート材１のセパレータ３先端部を剥離し、露出したシート状フィルム２の粘着層４先端部を被貼付材７の表面先端部に当てて、フィルム押し付け手段８の押えローラー８ｂで押さえ付け、この状態からセパレータ３を巻取手段６で巻き取りながら、シート材供給台２０を傾斜姿勢のまま移動枠２１を後退移動させることにより、シート材１は、剥離エッジ１２によってセパレータ３が剥離されながら、露出するシート状フィルム２の粘着層４が被貼付材７の表面に貼着されてゆき、移動枠２１がシート材供給位置へ戻ることによって、そのシート材１のシート状フィルム２の被貼付材７に対する貼付が終了する。
【００３２】
以降は、上記の動作の繰り返しによって、シート材供給台２０を剥離エッジ１２及びフィルム押し付け手段８と共に移動させながら、固定状態にある被貼付材７にシート状フィルム２を貼着し、被貼付材７の表面にシート状フィルム２を貼着した物を連続的に製造する。
【００３３】
以上説明したような貼付方法によれば、シート状フィルム２に粘着層４を介してセパレータ３を剥離可能に貼着してなる先行側のシート材１と後行側のシート材１を、セパレータ３，３の端部どうし接合テープ５によって接合しておいて、先行側シート材１よりセパレータ３をシート状フィルム２から剥離させつつ、セパレータ３の剥離に伴って露出するシート状フィルム２の粘着層４を被貼付材７に貼付すると共に、剥離したセパレータ３を巻き取るようにしたものであって、セパレータ３をシート状フィルム２から剥離した直後に、このシート状フィルム２の粘着層４を被貼付材７に貼付するようにしたから、セパレータ３をシート材１のシート状フィルム２から全て剥離した後に、シート状フィルム２を被貼付材７に貼付する従来のシート状フィルム貼付方法に比べ、各シート材１におけるシート状フィルム２の粘着層４の露出面積が小さくなり、その分、そのシート状フィルム２の粘着層４である糊面に対するゴミ等の異物の付着が少なくなり、従ってそのような異物のかみこみによる不良品の発生を少なくすることができる。
【００３４】
また、図１に示すような貼付装置は、シート材接合手段と、シート材１のセパレータ３をシート状フィルム２から剥離させる剥離エッジ１２と、この剥離エッジ１２によって剥離されたセパレータ３を巻き取る巻取手段６と、セパレータ３の剥離に伴って露出するシート状フィルム２を被貼付材に押し付けて貼付するフィルム押し付け手段８と、定位置にあってシート材１を受けるシート材供給台９と、被貼付材７をフィルム貼付開始位置Ｐ１から前方へ移送する被貼付材移送手段１１とを備え、被貼付材７をフィルム貼付開始位置Ｐ１からその長さ分移動させて被貼付材７にシート状フィルム２を貼付するように構成しているから、シート状フィルム２を被貼付材７に対し殆ど自動的に貼付することができると共に、装置の構造が簡単で製作が容易となって安価に提供することができる。更に、この貼付装置では、被貼付材７を一方向に移送しながら、この被貼付材７にシート状フィルム２を貼付する構成となっているから、貼付作業能率が良く、生産性を高めることができる。
【００３５】
また、図３及び図４に示すような貼付装置は、シート材接合手段、剥離エッジ１２、巻取手段６、及びフィルム押し付け手段８の他に、夫々被貼付材７を保持した状態の被貼付材供給姿勢とフィルム貼付姿勢とに反転可能な被貼付材保持台１８と、この保持台１８を反転駆動する手段１９と、剥離エッジ１２を先端部に備えたシート材供給台２０と、フィルム押し付け手段８を先端部に装備すると共に、シート材供給台２０を傾動可能に搭載して、このシート材供給台２０を、シート材供給位置と、フィルム貼付姿勢にある被貼付材保持台１８の被貼付材７に対してシート状フィルム２を貼付するフィルム貼付位置との間を往復移動させる移動枠２１と、移動枠駆動手段とを備えてなるもので、移動枠２１がフィルム貼付位置にある時、シート材供給台２０は先端部が被貼付材保持台１８の被貼付材７に近接した傾斜姿勢にあって、この傾斜姿勢で移動枠２１をシート材供給位置まで移動させる間に、シート材供給台９上のシート状フィルム２が被貼付材に貼付されるように構成されているから、図１の貼付装置と同様に、シート状フィルム２を被貼付材７に対し殆ど自動的に貼付することができる共に、この装置では被貼付材７を移送させず、固定させた状態でシート状フィルム２の貼付が行なえるので、装置全体の長さをできるだけ短くすることができる。
【００３６】
以上説明した実施形態では、液晶板等の被貼付材７を水平姿勢に位置させて、この水平姿勢の被貼付材７の上面又は下面にシート状フィルム２を貼付するようにしているが、これは一実施形態であって、被貼付材７は、その貼付面が水平面に対し垂直となる垂直姿勢、あるいは貼付面が水平面に対し傾斜した傾斜姿勢でシート状フィルム２を貼付するようにしてもよい。また上述した実施形態では、被貼付材７の片面側のみにシート状フィルム２を貼付するようにしたが、シート状フィルム２を被貼付材７の両面に同時に貼付するようにしてもよい。
【００３７】
【発明の効果】
請求項１に係る発明の貼付方法によれば、セパレータをシート状フィルムから剥離した直後に、このシート状フィルムの粘着層を被貼付材に貼付するようにしたから、セパレータをシート材のシート状フィルムから全て剥離した後に、シート状フィルムを被貼付材に貼付する従来のシート状フィルム貼付方法に比べて、各シート材におけるシート状フィルムの粘着層の露出面積が小さくなり、その分、シート状フィルムの糊面に対するゴミ等異物の付着が少なくなり、従ってそのような異物のかみこみによる不良品の発生を少なくすることができる。
【００３８】
請求項２に係る発明の貼付装置によれば、請求項１に係る貼付方法をほとんど自動的に有効に実施することができる。
【００３９】
請求項３に係る発明の貼付装置によれば、シート状フィルムを被貼付材に対しほとんど自動的に貼付できると共に、構造が簡単で装置の製作が容易となる。そして、特にこの貼付装置では、被貼付材を一方向に移送しながら、この被貼付材にシート状フィルムを貼付する構成であるから、貼付作業能率が良く、生産性を高めることができる。
【００４０】
請求項４に係る発明の貼付装置によれば、シート状フィルムを被貼付材に対しほとんど自動的に貼付できる、そして特にこの装置では被貼付材を移送させずに固定させた状態でシート状フィルムの貼付を行なうので、装置全体の長さをできるだけ短くすることができる。
【図面の簡単な説明】
【図１】本発明に係るシート状フィルム貼付装置の一実施形態を示す縦断側面図である。
【図２】（ａ）  は接合テープによって接合されたシート材を示す斜視図、（ｂ  ）  はシート材の接合部の断面形状を示す一部拡大縦断面図である。
【図３】本発明に係るシート状フィルム貼付装置の他の実施形態を示すもので、移動枠がシート材供給位置にある状態を示す縦断側面図である。
【図４】図３に示す貼付装置であって、移動枠がフィルム貼付位置にある状態を示す縦断側面図である。
【符号の説明】
１              シート材
２              シート状フィルム
３              セパレータ
４              粘着層
５              接合テープ
６              巻取手段
７              被貼付材
８              フィルム押し付け手段
９              シート材供給台
１１            被貼付材移送手段
１２            剥離エッジ
１８            被貼付材保持台
１９            反転駆動手段
２０            シート材供給台
２１            移動枠
【図１】
2004250153.tif 000003
【図２】
2004250153.tif 000004
【図３】
2004250153.tif 000005
【図４】
2004250153.tif 000006